(57)【要約】【課題】給水用配管を流れた冷水を無駄に捨てることなく、浴槽フランジ部に配設した枕を冷却すること。【解決手段】浴槽５の上縁部５ａに枕本体６を設け、前記枕本体６の内部に冷却通水経路７を設け、前記冷却通水経路７を浴室内の給水経路の途中に接続した構成とすることで、浴室内の給水操作をすることにより、前記枕本体６を冷却することになるので、入浴者の頭を冷やし、のぼせを防止することが出来る。【選択図】図１
2005177220.tif 000002
【特許請求の範囲】
【請求項１】
浴槽の上縁部に一体または別部材として枕本体を設け、前記枕本体の内部に冷却通水経路を設け、前記冷却通水経路を浴室内の給水経路の途中に接続した構成とする浴槽用冷却枕。
【請求項２】
前記冷却通水経路の断面積が浴室内の給水経路の断面積より大きい構成とした請求項１記載の浴槽用冷却枕。
【請求項３】
前記冷却通水経路は枕本体の形状に沿った曲面形状となる構成とした請求項１または２に記載の浴槽用冷却枕。
【請求項４】
前記冷却通水経路はスパイラル形状となる構成とした請求項１または２に記載の浴槽用冷却枕。
【請求項５】
前記冷却通水経路は枕本体と一体で軟質材料で形成された請求項１〜３のいずれか１項に記載の浴槽用冷却枕。
【発明の詳細な説明】
【技術分野】
【０００１】
本発明は浴室の給水経路を流れる水を利用して冷却する浴槽用冷却枕に関するものである。
【背景技術】
【０００２】
従来、この種の浴槽用冷却枕は浴槽のフランジ部に配設した枕に専用の給水用配管を設け冷却水を通水し冷却に使用した水は廃棄する構造となっている（例えば、特許文献１参照）。
【０００３】
図５は、特許文献１に記載された従来の浴槽用冷却枕を示すものである。図５に示すように、浴槽用枕１と、水用配管２と、給水口３と、排水口４から構成されており、給水口３から給水された冷水は、水用配管２を通って浴槽用枕１に供給され、排水口４から排水される。
【特許文献１】実開平５−９３８５号公報
【発明の開示】
【発明が解決しようとする課題】
【０００４】
しかしながら、前記従来の構成では、浴槽のフランジ部に配設した枕に専用の給水用配管を設け冷水を通水し、浴槽用枕を冷却する構造となっているが、給水用配管を流れた冷水はそのまま浴槽の外へ放水するため、冷水を無駄に捨てるという課題を有していた。また水用配管が枕の中心部を貫通する構造となっており冷却効率が悪いという課題を有していた。
【０００５】
本発明は、前記従来の課題を解決するもので、前記給水用配管は浴室内の給水経路の途中につながる構成とし、浴室内でシャワーや水栓を使用することで冷却水が冷却通水経路を通り枕を冷却する。また冷却枕内の冷却通水経路を頭部接触面積が大きくなるよう構成することで冷却効率を高める浴室用冷却枕を提供することを目的とする。
【課題を解決するための手段】
【０００６】
前記従来の課題を解決するために、本発明の浴室用冷却枕は、浴槽の上縁部に取り付けられた枕本体内部に冷却通水経路を設け、前記冷却通水経路は浴室内の給水経路の途中へとつながる構成としたものである。
【０００７】
これによって、冷却通水経路に供給される水は浴室内の他の水栓器具で使用される水を使用するため、冷却水を無駄に捨てることなく、冷却枕を冷却することができる。
【０００８】
また、本発明の浴室用冷却枕は、冷却通水経路の頭部接触面積が大きくなる構成としたものである。これによって、冷却枕内の冷却効率をより高めることができる。
【発明の効果】
【０００９】
本発明の浴室用冷却枕は、専用の冷却装置や給水配管等を必要とせず、また、使用に関わる特別な操作は一切なく、浴室内のシャワーや水栓を使用する給水行為を行うことで、浴槽の上縁部に設けられた枕本体を冷却することができ、快適な入浴環境を提供することができ、しかも冷却に使用する冷却水を無駄に捨てることがないので経済性も備えたものである。
【発明を実施するための最良の形態】
【００１０】
第１の発明は浴槽の上縁部に一体または別部材として枕本体を設け、枕本体内部に冷却通水経路を設け、前記冷却通水経路を浴室内の給水経路の途中に接続した構成とすることにより、浴室内のシャワーや水栓に給水された際に冷却水が冷却通水経路に流れ、枕本体が冷却されることとなり、冷却水を無駄に捨てることなく、枕本体を冷却することができ、快適な入浴環境を提供することができる。
【００１１】
第２の発明は、特に、第１の発明の冷却通水経路の断面積を浴室内の給水経路の断面積より大きい構成とすることにより、枕本体内の冷却通水経路に滞留する冷却水の量を多くすることができることとなり、枕本体の冷却効果をより高めることができる。
【００１２】
第３の発明は、特に、第１または第２の発明の冷却通水経路を枕本体の形状に沿った曲面形状とすることにより、枕本体の表面部に近い部分の広範囲に冷却通水経路を配設することが可能となるため、枕本体の冷却効果をより高めることができる。
【００１３】
第４の発明は、特に、第１または２の発明の冷却通水経路をスパイラル形状とすることにより、枕本体内の冷却通水経路の長さを長くすることができるため、枕本体内に滞留する冷却水の量を多くすることができることとなり、枕本体の冷却効果をより高めることができるとともに、一般的なパイプをスパイラル状に加工するだけで実現できるため、容易に製造できるという効果も備えている。
【００１４】
第５の発明は、特に第１〜３のいずれか１つの発明の冷却通水経路を枕本体と一体で軟質材料で形成することにより、枕本体の表面に極めて近い位置に冷却通水経路を形成することが可能となり、また、枕本体を軟質材料で形成することにより、使用時の頭との接触面積を増やすことができるため、より高い冷却効果と快適な使用感を得ることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における浴槽用冷却枕を浴槽に設置した状態の断面図を示すものであり、図２は冷却通水経路の斜視図を示すものである。
【００１７】
図１、図２において、人造大理石等の樹脂を材料とする浴槽５の上縁部５ａに断面略円弧状の枕本体６が浴槽５と一体で形成されており、枕本体６の裏面には図２に示すように枕本体６の裏面の形状に近い曲面形状の金属性の冷却通水経路７が接着剤を介して固着されている。
【００１８】
冷却通水経路７の給水接続口７ａには給水配管８が接続されており、給水配管８の他端は浴室壁面９に設けられた給水口１０に接続され外部からの給水が可能な構成となっており、冷却通水経路７の排水接続口７ｂには配水配管１１が接続されており、配水配管１１の他端は浴室内の水栓１２に接続されている。
【００１９】
冷却通水経路７の断面積は給水配管８および配水配管１１より大きいものであり、冷却通水経路７内に相当量の水が滞留できる構成となっている。
【００２０】
以上のように構成された浴槽用冷却枕について、以下その動作、作用を説明する。
【００２１】
まず、浴槽に設けられた水栓１２を開くことにより、給水口１０より給水された冷水は給水配管８を通って冷却通水経路７に供給され、配水配管１１を通過して水栓１２より吐水される。その間冷却通水経路７内において枕本体６を冷却し、枕本体６は冷却枕としての機能を発揮することができる。
【００２２】
以上のように、本実施の形態においては水栓の給水経路に冷却通水経路を接続した構成とすることにより、水栓で使用する水を浴槽の上縁部に設けた枕本体内の冷却通水経路を通して流すこととなり、水栓の給水操作を行うことにより枕本体を冷却することができ、入浴者の頭を冷やし、のぼせを防止することができる。
【００２３】
しかも使用する冷水は浴室内で身体を洗ったり浴槽で使用する水を使用するため、水を一切無駄に使用することがない。
【００２４】
なお、本実施の形態においては配水配管を浴槽に設置した水栓に接続したが、これに限るものではなくシャワーや洗い場に設けた水栓あるいは複数の水栓器具への給水経路の元の部分に接続することが可能で、使用頻度の高い水栓器具に接続するのが効果的である。
【００２５】
また、本実施の形態おいては冷却通水経路としては図２に示す曲面形状のものを使用したが、図３に示すようにスパイラル形状でもよく、冷却通水経路の容量を大きくすることにより、より枕の冷却効果が高まり、入浴者のぼせを効果的に防止することができる。
【００２６】
また、本実施の形態においては枕本体は浴槽の上縁部と一体で形成したが、浴槽とは別に、図４に示すような貯水タンク形状の枕本体と冷却通水経路を一体で形成したものを、浴槽の上縁部に設置してもよく、この場合、枕本体は樹脂等の軟質材料で形成することにより、より快適に使用することができる。
【産業上の利用可能性】
【００２７】
以上のように、本発明にかかる浴槽用冷却枕は、浴槽の上縁部に配設することにより頭部を中心とした身体部位への効果を奏しているが、浴槽の他の場所に配設することにより、入浴者の頭部だけではなく手足等の他の部位への用途にも適用できる。
【図面の簡単な説明】
【００２８】
【図１】本発明の実施の形態１における浴槽用冷却枕の設置状態の断面図
【図２】本発明の実施の形態１における冷却通水経路の斜視図
【図３】本発明の実施の形態１における別の形状の冷却通水経路の斜視図
【図４】本発明の実施の形態１における別の形状の枕本体一体の冷却通水経路の斜視図
【図５】従来の浴槽用冷却枕の側面図
【符号の説明】
【００２９】
５  浴槽
５ａ  上縁部
６  枕本体
７  冷却通水経路
【図１】
2005177220.tif 000003
【図２】
2005177220.tif 000004
【図３】
2005177220.tif 000005
【図４】
2005177220.tif 000006
【図５】
2005177220.tif 000007